(57)【要約】【課題】入力端子の選択が切り替わった場合であっても、映像信号への映像処理に必要な時間を短くすること。【解決手段】制御部２は、ＡＶアンプ１に設定されている設定言語に基づいて、デジタル信号入力端子６から入力されたデジタル映像信号、又は、ビデオデコーダ１２が変換したデジタル映像信号の伝送方式を予測する。また、制御部２は、予測した伝送方式及びセレクタ９により選択している入力端子に基づいて、デジタル映像信号の入力解像度及び入力垂直周波数を予測する。そして、制御部２は、予測した入力解像度及び入力垂直周波数をビデオプロセッサ１３に設定する【選択図】図４
2015139116.tif 000002
【特許請求の範囲】
【請求項１】
アナログ映像信号が入力されるアナログ入力端子と、
デジタル映像信号が入力されるデジタル入力端子と、
前記アナログ入力端子及び前記デジタル入力端子のいずれかを選択する選択部と、
アナログ映像信号をデジタル映像信号に変換するビデオデコーダと、
デジタル映像信号に映像処理を行う映像信号処理部と、
前記映像信号処理部が映像処理を行ったデジタル映像信号を外部の表示装置に送信する映像信号送信部と、
制御部と、を備え、
前記制御部は、
前記選択部により入力端子の選択を切り替えた場合に、選択している入力端子に基づいて、前記デジタル入力端子から入力されたデジタル映像信号、又は、前記ビデオデコーダが変換したデジタル映像信号の入力解像度を予測し、予測した入力解像度を前記映像信号処理部に設定することを特徴とする映像処理装置。
【請求項２】
前記制御部は、自装置の設定言語に基づいて、前記デジタル入力端子から入力されたデジタル映像信号、又は、前記ビデオデコーダが変換したデジタル映像信号の伝送方式を予測し、予測した伝送方式及び前記選択部により選択している入力端子に基づいて、前記デジタル映像信号の入力解像度及び入力垂直周波数を予測し、予測した入力解像度及び入力垂直周波数を前記映像信号処理部に設定することを特徴とする請求項１に記載の映像処理装置。
【請求項３】
前記制御部は、前記デジタル入力端子から入力されたデジタル映像信号、又は、前記ビデオデコーダが変換したデジタル映像信号の入力解像度及び入力垂直周波数を取得し、取得した入力解像度及び入力垂直周波数が予測した入力解像度及び入力垂直周波数と一致していない場合に、取得した入力解像度及び入力垂直周波数を前記映像信号処理部に設定しなおすことを特徴とする請求項２に記載の映像処理装置。
【請求項４】
前記制御部は、前記選択部により入力端子の選択を切り替えた場合に、前記映像信号処理部から、前記映像信号送信部へ擬似映像信号を出力させることを特徴とする請求項２又は３に記載の映像処理装置。
【請求項５】
記憶部をさらに備え、
前記制御部は、前記映像信号処理部に入力解像度及び入力垂直周波数を設定したときに、前記映像信号処理部に設定した入力解像度及び入力垂直周波数と、前記選択部により選択している入力端子と、を対応付けて前記記憶部に記憶させ、
前記記憶部に、前記選択部により選択している入力端子に対応付けて入力解像度及び入力垂直周波数が記憶されている場合、前記記憶部に記憶されている入力解像度及び入力垂直周波数を、前記デジタル映像信号の入力解像度及び入力垂直周波数として予測することを特徴とする請求項２〜４のいずれか１項に記載の映像処理装置。
【請求項６】
前記アナログ入力端子は、第１アナログ入力端子及び第２アナログ入力端子を含み、
前記選択部は、前記第１アナログ入力端子、前記第２アナログ入力端子及び前記デジタル入力端子のいずれかを選択し、
前記制御部は、前記選択部により前記第１アナログ入力端子を選択している場合、前記第１アナログ入力端子から入力され、前記ビデオデコーダが変換したデジタル映像信号の入力解像度を、前記第２アナログ入力端子から入力され、前記ビデオデコーダが変換したデジタル映像信号の入力解像度よりも高く予測することを特徴とする請求項２〜５のいずれか１項に記載の映像処理装置。
【請求項７】
前記制御部は、前記表示装置に出力する出力解像度及び出力垂直周波数の設定を受け付け、受け付けた出力解像度及び出力垂直周波数、又は、前記表示装置から出力解像度及び出力垂直周波数を取得し、取得した出力解像度及び出力垂直周波数を前記映像信号処理部、及び、前記映像信号送信部に設定することを特徴とする請求項２〜６のいずれか１項に記載の映像処理装置。
【発明の詳細な説明】
【技術分野】
【０００１】
本発明は、再生装置が出力する映像信号にスケーラ変換等の映像処理を行って表示装置に出力する映像処理装置に関する。
【背景技術】
【０００２】
映像処理装置として、例えば、ＤＶＤプレーヤー等の再生装置が出力する映像信号に画質調整、スケーラ変換等の映像処理を行って表示装置に出力するＡＶアンプが知られている（例えば、特許文献１参照。）。ＡＶアンプは、デジタル映像信号が入力されるデジタル入力端子、アナログ映像信号が入力されるアナログ入力端子、入力端子を選択するセレクタ、デジタル映像信号を受信するデジタル映像信号受信部、アナログ映像信号をデジタル映像信号に変換するビデオデコーダ、デジタル映像信号に映像処理を行う映像信号処理部、デジタル映像信号を表示装置に送信するデジタル映像信号送信部、ＡＶアンプの各部を制御する制御部等を備えている。
【０００３】
従来のＡＶアンプは、例えば、以下の手順で入力端子から入力される映像信号に映像処理を行っている。
１．入力される映像信号がデジタル映像信号である場合、デジタル映像信号受信部でデジタル映像信号をロックする。
入力される映像信号がアナログ映像信号である場合、ビデオデコーダでアナログ映像信号をロックする。
なお、「映像信号をロックする」とは、映像信号の解像度等を解析することである。
２．制御部は、デジタル映像信号受信部、又は、ビデオデコーダがロックした映像信号の入力解像度等を取得する。
３．制御部は、取得した入力解像度や表示装置に出力する出力解像度等を映像信号処理部に設定する。設定後、デジタル映像信号受信部、又は、ビデオデコーダから映像信号処理部にデジタル映像信号が出力される。
４．映像信号処理部でデジタル映像信号をロックする。
５．映像信号処理部は、デジタル映像信号をロックすると、デジタル映像信号送信部にデジタル映像信号を出力する。このとき、映像信号処理部により、入力解像度や出力解像度等に基づいて、デジタル映像信号に映像処理が行われる。
６．制御部は、デジタル映像信号送信部に出力解像度等の設定を行う。設定後、映像信号処理部からデジタル映像信号送信部にデジタル映像信号が出力される。
【先行技術文献】
【特許文献】
【０００４】
【特許文献１】特開２０１３−１７２２７８号公報
【発明の概要】
【発明が解決しようとする課題】
【０００５】
上記のように、ＡＶアンプにおいては、デジタル映像信号受信部、又は、ビデオデコーダによる映像信号のロック、映像信号処理部による映像信号のロックを行う必要があるため、映像信号の映像処理に時間がかかる。特に、セレクタにより選択されている入力端子が切り替わると、入力端子から入力される映像信号の入力解像度等を確認する必要があるため、映像信号に映像処理を行って、表示装置に映像を表示するまでに長い時間がかかってしまう。このように、表示装置に映像が表示されるまでの待ち時間が長いと、ユーザーにストレスを感じさせるという問題がある。
【０００６】
本発明の目的は、入力端子の選択が切り替わった場合であっても、映像信号への映像処理に必要な時間を短くすることである。
【課題を解決するための手段】
【０００７】
第１の発明の映像処理装置は、アナログ映像信号が入力されるアナログ入力端子と、デジタル映像信号が入力されるデジタル入力端子と、前記アナログ入力端子及び前記デジタル入力端子のいずれかを選択する選択部と、アナログ映像信号をデジタル映像信号に変換するビデオデコーダと、デジタル映像信号に映像処理を行う映像信号処理部と、前記映像信号処理部が映像処理を行ったデジタル映像信号を外部の表示装置に送信する映像信号送信部と、制御部と、を備え、前記制御部は、前記選択部により入力端子の選択を切り替えた場合に、選択している入力端子に基づいて、前記デジタル入力端子から入力されたデジタル映像信号、又は、前記ビデオデコーダが変換したデジタル映像信号の入力解像度を予測し、予測した入力解像度を前記映像信号処理部に設定することを特徴とする。
【０００８】
本発明では、制御部は、選択部により入力端子の選択を切り替えた場合に、選択している入力端子に基づいて、デジタル入力端子から入力されたデジタル映像信号、又は、ビデオデコーダが変換したデジタル映像信号の入力解像度を予測し、予測した入力解像度を映像信号処理部に設定する。例えば、制御部は、選択部によりデジタル入力端子を選択している場合、デジタル映像信号の入力解像度を１０８０ｐであると予測し、映像信号処理部に設定する。このため、映像信号処理部は、入力された映像信号のロックを待つことなく、設定された入力解像度に従って、デジタル映像信号に映像処理を行うことができる。これにより、入力端子の選択が切り替わった場合であっても、映像信号への映像処理に必要な時間を短くすることができる。
【０００９】
第２の発明の映像処理装置は、第１の発明の映像処理装置において、前記制御部は、自装置の設定言語に基づいて、前記デジタル入力端子から入力されたデジタル映像信号、又は、前記ビデオデコーダが変換したデジタル映像信号の伝送方式を予測し、予測した伝送方式及び前記選択部により選択している入力端子に基づいて、前記デジタル映像信号の入力解像度及び入力垂直周波数を予測し、予測した入力解像度及び入力垂直周波数を前記映像信号処理部に設定することを特徴とする。
【００１０】
本発明では、制御部は、自装置の設定言語に基づいて、デジタル入力端子から入力されたデジタル映像信号、又は、ビデオデコーダが変換したデジタル映像信号の伝送方式を予測する。そして、制御部は、予測した伝送方式及び選択部により選択している入力端子に基づいて、デジタル映像信号の入力解像度及び入力垂直周波数を予測し、予測した入力解像度及び入力垂直周波数を映像信号処理部に設定する。例えば、制御部は、自装置の設定言語がヨーロッパ圏内の言語である場合、デジタル映像信号の伝送方式をＰＡＬ（Phase Alternating Line）であると予測する。そして、制御部は、選択部によりデジタル入力端子を選択している場合、デジタル映像信号の入力解像度を１０８０ｐであると予測し、予測した伝送方式ＰＡＬに基づいて、入力垂直周波数を５０Ｈｚであると予測し、映像信号処理部に設定する。このため、映像信号処理部は、入力された映像信号のロックを待つことなく、設定された入力解像度及び入力垂直周波数に従って、デジタル映像信号に映像処理を行うことができる。これにより、入力端子の選択が切り替わった場合であっても、映像信号への映像処理に必要な時間を短くすることができる。
【００１１】
第３の発明の映像処理装置は、第２の発明の映像処理装置において、前記制御部は、前記デジタル入力端子から入力されたデジタル映像信号、又は、前記ビデオデコーダが変換したデジタル映像信号の入力解像度及び入力垂直周波数を取得し、取得した入力解像度及び入力垂直周波数が予測した入力解像度及び入力垂直周波数と一致していない場合に、取得した入力解像度及び入力垂直周波数を前記映像信号処理部に設定しなおすことを特徴とする。
【００１２】
本発明では、制御部は、デジタル入力端子から入力されたデジタル映像信号、又は、ビデオデコーダが変換したデジタル映像信号の入力解像度及び入力垂直周波数を取得する。そして、制御部は、取得した入力解像度及び入力垂直周波数が予測した入力解像度及び入力垂直周波数と一致していない場合に、取得した入力解像度及び入力垂直周波数を映像信号処理部に設定しなおす。これにより、入力解像度及び入力垂直周波数の予測が誤っていた場合でも、正しく映像処理を行うことができる。
【００１３】
第４の発明の映像処理装置は、第２又は第３の発明の映像処理装置において、前記制御部は、前記選択部により入力端子の選択を切り替えた場合に、前記映像信号処理部から、前記映像信号送信部へ擬似映像信号を出力させることを特徴とする。
【００１４】
本発明では、制御部は、選択部により入力端子の選択を切り替えた場合に、映像信号処理部から、映像信号送信部へ擬似映像信号を出力させる。これにより、表示装置に擬似映像が表示されるため、映像処理中に、不正な映像が表示装置に表示されることが防止される。
【００１５】
第５の発明の映像処理装置は、第２〜第４の発明のいずれかの映像処理装置において、記憶部をさらに備え、前記制御部は、前記映像信号処理部に入力解像度及び入力垂直周波数を設定したときに、前記映像信号処理部に設定した入力解像度及び入力垂直周波数と、前記選択部により選択している入力端子と、を対応付けて前記記憶部に記憶させ、前記記憶部に、前記選択部により選択している入力端子に対応付けて入力解像度及び入力垂直周波数が記憶されている場合、前記記憶部に記憶されている入力解像度及び入力垂直周波数を、前記デジタル映像信号の入力解像度及び入力垂直周波数として予測することを特徴とする。
【００１６】
本発明では、制御部は、記憶部に、選択部により選択している入力端子に対応付けて入力解像度及び入力垂直周波数が記憶されている場合、記憶部に記憶されている入力解像度及び入力垂直周波数を、デジタル映像信号の入力解像度及び入力垂直周波数として予測する。記憶部には、映像信号処理部に入力解像度及び入力垂直周波数が設定されるごとに、映像信号処理部に設定された入力解像度及び入力垂直周波数が記憶されるため、前回、映像信号処理部に設定された入力解像度及び入力垂直周波数が、デジタル映像信号の入力解像度及び入力垂直周波数として予測される。同じ入力端子からは同じ入力解像度及び入力垂直周波数の映像信号が入力される可能性が高いため、予測が的中する可能性が高くなる。
【００１７】
第６の発明の映像処理装置は、第２〜第５の発明のいずれかの映像処理装置において、前記アナログ入力端子は、第１アナログ入力端子及び第２アナログ入力端子を含み、前記選択部は、前記第１アナログ入力端子、前記第２アナログ入力端子及び前記デジタル入力端子のいずれかを選択し、前記制御部は、前記選択部により前記第１アナログ入力端子を選択している場合、前記第１アナログ入力端子から入力され、前記ビデオデコーダが変換したデジタル映像信号の入力解像度を、前記第２アナログ入力端子から入力され、前記ビデオデコーダが変換したデジタル映像信号の入力解像度よりも高く予測することを特徴とする。
【００１８】
例えば、第１アナログ入力端子がコンポーネント入力端子であり、且つ、第２アナログ入力端子がコンポジット入力端子である場合、第１アナログ入力端子から入力され、ビデオデコーダが変換したデジタル映像信号の入力解像度は、第２アナログ入力端子から入力され、ビデオデコーダが変換したデジタル映像信号の入力解像度よりも高い可能性が高い。本発明では、制御部は、選択部により第１アナログ入力端子を選択している場合、第１アナログ入力端子から入力され、ビデオデコーダが変換したデジタル映像信号の入力解像度を、第２アナログ入力端子から入力され、ビデオデコーダが変換したデジタル映像信号の入力解像度よりも高く予測する。これにより、予測が的中する可能性が高くなる。
【００１９】
第７の発明の映像処理装置は、第２〜第６の発明のいずれかの映像処理装置において、前記制御部は、前記表示装置に出力する出力解像度及び出力垂直周波数の設定を受け付け、受け付けた出力解像度及び出力垂直周波数、又は、前記表示装置から出力解像度及び出力垂直周波数を取得し、取得した出力解像度及び出力垂直周波数を前記映像信号処理部、及び、前記映像信号送信部に設定することを特徴とする。
【００２０】
本発明では、制御部は、表示装置に出力する出力解像度及び出力垂直周波数の設定を受け付け、受け付けた出力解像度及び出力垂直周波数、又は、表示装置から出力解像度及び出力垂直周波数を取得し、取得した出力解像度及び出力垂直周波数を映像信号処理部、及び、映像信号送信部に設定する。これにより、映像信号処理部は、設定された出力解像度及び出力垂直周波数に従って、デジタル映像信号に映像処理を行うことができる。また、映像信号送信部は、設定された出力解像度及び出力垂直周波数に従って、デジタル映像信号を外部の表示装置に送信することができる。
【発明の効果】
【００２１】
本発明によれば、入力端子の選択が切り替わった場合であっても、映像信号への映像処理に必要な時間を短くすることができる。
【図面の簡単な説明】
【００２２】
【図１】本発明の実施形態に係るＡＶアンプの構成を示すブロック図である。
【図２】入力端子と、入力解像度及び入力垂直周波数と、を対応付けて記憶するテーブルの一例を示す図である。
【図３】制御部がセレクタにより入力端子の選択を切り替えた場合のＡＶアンプの処理動作を示すフローチャートである。
【図４】予測処理を示すフローチャートである。
【図５】予測処理を示すフローチャートである。
【図６】予測処理を示すフローチャートである。
【発明を実施するための形態】
【００２３】
以下、本発明の実施形態について説明する。図１は、本実施形態に係るＡＶアンプの構成を示すブロック図である。ＡＶアンプ１（映像処理装置）は、例えば、再生装置であるＢＤ（Blu-ray（登録商標） Disc）プレーヤー１００ａ、ＤＶＤプレーヤー１００ｂ、ゲーム機１００ｃと接続されている。また、ＡＶレシーバー１は、ディスプレイ２００（表示装置）と接続されている。ＡＶアンプ１は、ＢＤプレーヤー１００ａ等から入力される映像信号にスケーラ変換等の映像処理を行って外部のディスプレイ２００に出力する機能を有する。本実施形態では、ＡＶアンプ１は、ＨＤＭＩ（登録商標）方式のデジタル信号をディスプレイ２００に出力する。なお、ＡＶアンプ１には、音声信号も入力される。そして、ＡＶアンプ１は、音声信号に増幅等の音声処理を行って外部のスピーカーに出力することも可能であるが、説明の簡単のため、音声信号の出力については説明を省略する。
【００２４】
図１に示すように、ＡＶアンプ１は、制御部２、記憶部３、表示部４、操作部５、デジタル信号入力端子６、コンポーネント入力端子７、コンポジット入力端子８、セレクタ９、デジタル信号受信部１０、アナログ信号受信部１１、ビデオデコーダ１２、ビデオプロセッサ１３、デジタル信号送信部１４、デジタル信号出力端子１５を備える。
【００２５】
制御部２は、記憶部３に記憶されたプログラムに従って、ＡＶアンプ１を構成する各部を制御する。記憶部３は、制御部２の主メモリとして機能するＲＡＭ（Random Access Memory）、プログラムを記憶するＲＯＭ（Read Only Memory）から構成されている。なお、記憶部３は、例示する構成に限られず、フラッシュメモリやＨＤＤ（Hard Disk Drive）等を含んでいてもよい。
【００２６】
表示部４は、設定画面等を表示するものであり、ＬＣＤ（液晶ディスプレイ）や蛍光表示管等である。操作部５は、ユーザー操作を受け付けるためのものであり、ＡＶアンプ１の筐体に設けられた操作ボタンやリモートコントローラである。ユーザーは、操作部５を操作することにより、いずれかの入力端子を選択することが可能である。ＡＶアンプ１は、ユーザーにより選択された入力端子に接続されている再生装置１００から入力される映像信号を、外部のディスプレイ２００に出力する。
【００２７】
デジタル信号入力端子６（デジタル入力端子）には、ＢＤプレーヤー１００ａが接続されており、ＢＤプレーヤー１００ａが再生するＨＤＭＩ（登録商標）方式のデジタル映像信号が入力される。コンポーネント入力端子７（第１アナログ入力端子）には、ＤＶＤプレーヤー１００ｂが接続されており、ＤＶＤプレーヤー１００ｂが再生するコンポーネント方式のアナログ映像信号が入力される。コンポジット入力端子（第２アナログ入力端子）８には、ゲーム機１００ｃが接続されており、ゲーム機１００ｃが再生するコンポジット方式のアナログ映像信号が入力される。なお、ＡＶアンプ１が備えるデジタル信号入力端子６、コンポーネント入力端子７、コンポジット入力端子８の数は、本実施形態で例示する数に限られない。
【００２８】
セレクタ９（選択部）は、制御部２からの指示に従って、いずれかの入力端子６〜８を選択する。具体的には、ＢＤプレーヤー１００ａから入力される映像信号をディスプレイ２００に出力する場合、セレクタ９は、デジタル信号入力端子６を選択し、デジタル信号入力端子６とデジタル信号受信部１０とを接続する。ＤＶＤプレーヤー１００ｂから入力される映像信号をディスプレイ２００に出力する場合、セレクタ９は、コンポーネント入力端子７を選択し、コンポーネント入力端子７とアナログ信号受信部１１とを接続する。ゲーム機１００ｃから入力される映像信号をディスプレイ２００に出力する場合、セレクタ９は、コンポジット入力端子８を選択し、コンポジット入力端子８とアナログ信号受信部１１とを接続する。
【００２９】
デジタル信号受信部１０は、デジタル信号入力端子６から入力されるデジタル映像信号を受信する。また、デジタル信号受信部１０は、デジタル映像信号をロックし、ビデオプロセッサ１３に出力する。アナログ信号受信部１１は、コンポーネント入力端子７、又は、コンポジット入力端子８から入力されるアナログ映像信号を受信し、ビデオデコーダ１２に出力する。ビデオデコーダ１２は、アナログ映像信号をロックする。また、ビデオデコーダ１２は、アナログ映像信号をデジタル映像信号に変換し、ビデオプロセッサ１３に出力する。ビデオプロセッサ１３（映像信号処理部）は、デジタル映像信号に画質調整、スケーラ変換等の映像処理を行って、デジタル信号送信部１４に出力する。具体的には、ビデオプロセッサ１３は、制御部２により設定されたデジタル映像信号の入力解像度、入力垂直周波数、出力解像度、出力垂直周波数に従って、デジタル映像信号にスケーラ変換を行う。
【００３０】
デジタル信号送信部１４（映像信号送信部）は、制御部２により設定された出力解像度、出力垂直周波数に従って、ＨＤＭＩ（登録商標）方式のデジタル映像信号を、デジタル信号出力端子１５を介して、ディスプレイ２００に送信する。ディスプレイ２００は、ＡＶアンプ１から入力されたデジタル映像信号に基づいて、映像を表示する。
【００３１】
本実施形態に係るＡＶアンプ１は、入力される映像信号の入力解像度、入力垂直周波数を予測する予測処理を行う。以下、予測処理について説明する。制御部２は、セレクタ９により入力端子の選択を切り替えた場合に、予測処理を実行する。具体的には、制御部２２は、セレクタ９により選択している入力端子に基づいて、デジタル信号入力端子６から入力されたデジタル映像信号、又は、ビデオデコーダ１２が変換したデジタル映像信号の入力解像度を予測する。制御部２は、セレクタ９によりデジタル信号入力端子６を選択している場合、デジタル映像信号の入力解像度を１０８０ｐと予測する。また、制御部２は、セレクタ９によりコンポーネント入力端子７を選択している場合、デジタル映像信号の入力解像度を１０８０ｉと予測する。また、制御部２は、セレクタ９によりコンポジット入力端子８を選択している場合、デジタル映像信号の入力解像度を５７６ｉ又は４８０ｉと予測する。ここで、制御部２は、セレクタ９によりコンポーネント入力端子７を選択している場合、コンポーネント入力端子７から入力され、ビデオデコーダ１２が変換したデジタル映像信号の入力解像度を、コンポジット入力端子８から入力され、ビデオデコーダ１２が変換したデジタル映像信号の入力解像度よりも高く予測する。
【００３２】
また、制御部２は、ＡＶアンプ１に設定されている設定言語に基づいて、デジタル信号入力端子６から入力されたデジタル映像信号、又は、ビデオデコーダ１２が変換したデジタル映像信号の伝送方式を予測する。制御部２は、ＡＶアンプ１に設定されている設定言語がヨーロッパ圏内の言語（例えば、ドイツ語やイタリア語）である場合、デジタル映像信号の伝送方式をＰＡＬ（Phase Alternating Line）方式であると予測する。また、制御部２は、ＡＶアンプ１に設定されている設定言語がヨーロッパ圏内の言語でない場合、デジタル映像信号の伝送方式をＮＴＳＣ（National Television System Committee）方式であると予測する。
【００３３】
ここで、制御部２は、セレクタ９により選択している入力端子に加え、予測した伝送方式に基づいて、デジタル映像信号の入力解像度及び入力垂直周波数を予測する。制御部２は、セレクタ９によりデジタル信号入力端子６を選択し、且つ、ＰＡＬ方式であると予測している場合、デジタル映像信号の入力解像度を１０８０ｐ、入力垂直周波数を５０Ｈｚと予測する。また、制御部２は、セレクタ９によりデジタル信号入力端子６を選択し、且つ、ＮＴＳＣ方式であると予測している場合、デジタル映像信号の入力解像度を１０８０ｐ、入力垂直周波数を６０Ｈｚと予測する。また、制御部２は、セレクタ９によりコンポーネント入力端子７を選択し、且つ、ＰＡＬ方式であると予測している場合、デジタル映像信号の入力解像度を１０８０ｉ、入力垂直周波数を５０Ｈｚと予測する。また、制御部２は、セレクタ９によりコンポーネント入力端子７を選択し、且つ、ＮＴＳＣ方式であると予測している場合、デジタル映像信号の入力解像度を１０８０ｉ、入力垂直周波数を６０Ｈｚと予測する。また、制御部２は、セレクタ９によりコンポジット入力端子８を選択し、且つ、ＰＡＬ方式であると予測している場合、デジタル映像信号の入力解像度を５７６ｉ、入力垂直周波数を５０Ｈｚと予測する。また、制御部２は、セレクタ９によりコンポジット入力端子８を選択し、且つ、ＮＴＳＣ方式であると予測している場合、デジタル映像信号の入力解像度を４８０ｉ、入力垂直周波数を６０Ｈｚと予測する。制御部２は、上記のようにして予測した入力解像度及び入力垂直周波数をビデオプロセッサ１３に設定する。
【００３４】
制御部２は、上記の予測処理と並行して、デジタル信号入力端子６から入力されたデジタル映像信号、又は、ビデオデコーダ１２が変換したデジタル映像信号の入力解像度及び入力垂直周波数を取得する。具体的には、制御部２は、再生装置であるＢＤプレーヤー１００ａ等から、デジタル映像信号の入力解像度及び入力垂直周波数を取得する。ここで、制御部２は、取得した入力解像度及び入力垂直周波数が予測した入力解像度及び入力垂直周波数と一致していない場合は、取得した入力解像度及び入力垂直周波数をビデオプロセッサ１３に設定しなおす。すなわち、予測した入力解像度及び入力垂直周波数から、取得した入力解像度及び入力垂直周波数に、ビデオプロセッサ１３の設定が変更される。
【００３５】
制御部２は、予測処理を実行する際に、ビデオプロセッサ１３から、ミュート映像信号（擬似映像信号）をデジタル信号送信部１４へ出力させる（ビデオミュート処理）。このため、ディスプレイ２００には、ＡＶアンプ１による映像処理が終了するまで、ミュート映像（黒画面）が表示される。
【００３６】
また、制御部２は、ディスプレイ２００に出力する出力解像度及び出力垂直周波数の設定を受け付ける。具体的には、制御部２は、ユーザーによる操作部５の操作に基づいて、ディスプレイ２００に出力する出力解像度及び出力垂直周波数の設定を受け付ける。制御部２は、設定を受け付けた出力解像度及び出力垂直周波数をビデオプロセッサ１３及びデジタル信号送信部１４に設定する。制御部２は、ディスプレイ２００に出力する出力解像度及び出力垂直周波数の設定を受け付けていなければ、ディスプレイ２００のＥＤＩＤ（Extended Display Identification Data）に含まれている出力解像度及び出力垂直周波数を取得する。制御部２は、取得した出力解像度及び出力垂直周波数のうち、例えば、最も高い出力解像度及び出力垂直周波数をビデオプロセッサ１３及びデジタル信号送信部１４に設定する。なお、制御部２は、予測処理の際に、入力解像度及び入力垂直周波数とともに、出力解像度及び出力垂直周波数をビデオプロセッサ１３に設定する。
【００３７】
また、制御部２は、ビデオプロセッサ１３に入力解像度及び入力垂直周波数を設定したときに、ビデオプロセッサ１３に設定した入力解像度及び入力垂直周波数と、セレクタ９により選択している入力端子と、を対応付けて記憶部３に記憶させる。従って、記憶部３には、入力端子と、入力解像度及び入力垂直周波数と、が対応付けて記憶される。図２は、入力端子と、入力解像度及び入力垂直周波数と、を対応付けて記憶するテーブルの一例を示す図である。例えば、図２に示すように、デジタル信号入力端子６には、入力解像度１０８０ｐ、入力垂直周波数５０Ｈｚが対応付けられている。また、コンポーネント入力端子７には、入力解像度１０８０ｉ、入力垂直周波数６０Ｈｚが対応付けられている。また、コンポジット入力端子８には、対応する入力解像度、入力垂直周波数が記憶されていない。これは、セレクタ９によりコンポジット入力端子８が選択されたことがないためである。コンポジット入力端子８がセレクタ９により選択されれば、このときにビデオプロセッサ１３に設定された入力解像度及び入力垂直周波数がコンポジット入力端子８に対応付けて記憶される。このように、記憶部３には、入力端子に対応する設定履歴が記憶される。
【００３８】
ここで、制御部２は、記憶部３に、セレクタ９により選択している入力端子に対応付けて入力解像度及び入力垂直周波数が記憶されている場合、記憶部３に記憶されている入力解像度及び入力垂直周波数を、デジタル映像信号の入力解像度及び入力垂直周波数として予測する。例えば、制御部２は、セレクタ９によりデジタル信号入力端子６を選択している場合、デジタル信号入力端子６に対応付けて、入力解像度１０８０ｐ及び入力垂直周波数５０Ｈｚが記憶されているため（図２参照）、入力解像度１０８０ｐ及び入力垂直周波数５０Ｈｚを、デジタル映像信号の入力解像度及び入力垂直周波数として予測する。
【００３９】
以下、ユーザーによる操作部５の操作に基づいて、制御部２がセレクタ９により入力端子の選択を切り替えた場合のＡＶアンプ１の処理動作を、図３に示すフローチャートに基づいて説明する。制御部２は、セレクタ９により入力端子の選択を切り替えたか否かを判断する（Ｓ１）。制御部２は、セレクタ９により入力端子の選択を切り替えていないと判断している間は（Ｓ１：Ｎｏ）、Ｓ１の処理を繰り返し実行する。制御部２は、セレクタ９により入力端子の選択を切り替えたと判断した場合（Ｓ１：Ｙｅｓ）、ビデオプロセッサ１３から、ミュート映像信号をデジタル信号送信部１４へ出力させる（Ｓ２）。次に、制御部２は、予測処理を実行する（Ｓ３）。
【００４０】
制御部２は、予測処理と並行して、セレクタ９により選択している入力端子に接続されている再生装置１００から、デジタル映像信号の入力解像度及び入力垂直周波数を取得する（Ｓ４）。次に、制御部２は、予測した入力解像度及び入力垂直周波数と、再生装置１００から取得した入力解像度及び入力垂直周波数と、が一致しているか否かを判断する（Ｓ５）。制御部２は、予測した入力解像度及び入力垂直周波数と、再生装置１００から取得した入力解像度及び入力垂直周波数と、が一致していないと判断した場合（Ｓ５：Ｎｏ）、再生装置１００から取得した入力解像度及び入力垂直周波数、出力解像度及び出力垂直周波数をビデオプロセッサ１３に設定する（Ｓ６）。制御部２は、予測処理において、予測した入力解像度及び入力垂直周波数をビデオプロセッサ１３に設定しているが、再生装置１００から取得した入力解像度及び入力垂直周波数と一致していないため、再生装置１００から取得した入力解像度及び入力垂直周波数をビデオプロセッサ１３に設定しなおす。次に、制御部２は、出力解像度及び出力垂直周波数をデジタル信号送信部１４に設定する（Ｓ７）。
【００４１】
制御部２は、予測した入力解像度及び入力垂直周波数と、再生装置１００から取得した入力解像度及び入力垂直周波数と、が一致していると判断した場合（Ｓ５：Ｙｅｓ）、又は、Ｓ７の処理の後、ビデオプロセッサ１３がデジタル映像信号をロックしたか否かを判断する（Ｓ８）。制御部２は、ビデオプロセッサ１３がデジタル映像信号をロックしていないと判断している間は（Ｓ８：Ｎｏ）、Ｓ８の処理を繰り返し実行する。このとき、ビデオプロセッサ１３は、制御部２により設定された入力解像度、入力垂直周波数、出力解像度、出力垂直周波数に従って、スケーラ変換を含む映像処理を行う。制御部２は、ビデオプロセッサ１３がデジタル映像信号をロックしたと判断した場合（Ｓ８：Ｙｅｓ）、ビデオプロセッサ１３による、ミュート映像信号のデジタル信号送信部１４への出力を停止させる（Ｓ９）。次に、制御部２は、ビデオプロセッサ１３にデジタル映像信号をデジタル信号送信部１４に出力させる（Ｓ１０）。そして、制御部２は、記憶部３の設定履歴を更新する（Ｓ１１）。すなわち、制御部２は、ビデオプロセッサ１３に設定した入力解像度及び入力垂直周波数と、セレクタ９により選択している入力端子と、を対応付けて記憶部３に記憶させる。
【００４２】
以下、予測処理について、図４〜図６に示すフローチャートに基づいて説明する。制御部２は、セレクタ９により選択している入力端子に基づいて、デジタル映像信号が入力されているかを判断する（Ｓ２１）。すなわち、制御部２は、セレクタ９によりデジタル信号入力端子６を選択しているか否かを判断する。制御部２は、デジタル映像信号が入力されていると判断した場合（Ｓ２１：Ｙｅｓ）、デジタル信号入力端子６に対応する設定履歴が記憶部３に記憶されているか否かを判断する（Ｓ２２）。制御部２は、デジタル信号入力端子６に対応する設定履歴が記憶部３に記憶されていると判断した場合（Ｓ２２：Ｙｅｓ）、記憶されている入力解像度及び入力垂直周波数を、デジタル映像信号の入力解像度及び入力垂直周波数として予測する（Ｓ２３）。
【００４３】
制御部２は、デジタル信号入力端子６に対応する設定履歴が記憶部３に記憶されていないと判断した場合（Ｓ２２：Ｎｏ）、ＡＶアンプ１に設定されている設定言語がヨーロッパ圏内の言語であるか否かを判断する（Ｓ２４）。制御部２は、ＡＶアンプ１に設定されている設定言語がヨーロッパ圏内の言語であると判断した場合（Ｓ２４：Ｙｅｓ）、デジタル映像信号の入力解像度を１０８０ｐ、入力垂直周波数を５０Ｈｚと予測する（Ｓ２５）。制御部２は、ＡＶアンプ１に設定されている設定言語がヨーロッパ圏内の言語でないと判断した場合（Ｓ２４：Ｎｏ）、デジタル映像信号の入力解像度を１０８０ｐ、入力垂直周波数を６０Ｈｚと予測する（Ｓ２６）。制御部２は、Ｓ２３、Ｓ２５、又は、Ｓ２６の処理の後、予測した入力解像度及び入力垂直周波数、出力解像度及び出力垂直周波数をビデオプロセッサ１３に設定する（Ｓ２７）。次に、制御部２は、出力解像度及び出力垂直周波数をデジタル信号送信部１４に設定する（Ｓ２８）。
【００４４】
制御部２は、デジタル映像信号が入力されていないと判断した場合（Ｓ２１：Ｎｏ）、セレクタ９によりコンポジット入力端子８を選択しているか否かを判断する（Ｓ３１）。制御部２は、セレクタ９によりコンポジット入力端子８を選択していると判断した場合（Ｓ３１：Ｙｅｓ）、コンポジット入力端子８に対応する設定履歴が記憶部３に記憶されているか否かを判断する（Ｓ３２）。制御部２は、コンポジット入力端子８に対応する設定履歴が記憶部３に記憶されていると判断した場合（Ｓ３２：Ｙｅｓ）、記憶されている入力解像度及び入力垂直周波数を、デジタル映像信号の入力解像度及び入力垂直周波数として予測する（Ｓ３３）。
【００４５】
制御部２は、コンポジット入力端子８に対応する設定履歴が記憶部３に記憶されていないと判断した場合（Ｓ３２：Ｎｏ）、ＡＶアンプ１に設定されている設定言語がヨーロッパ圏内の言語であるか否かを判断する（Ｓ３４）。制御部２は、ＡＶアンプ１に設定されている設定言語がヨーロッパ圏内の言語であると判断した場合（Ｓ３４：Ｙｅｓ）、デジタル映像信号の入力解像度を５７６ｉ、入力垂直周波数を５０Ｈｚと予測する（Ｓ３５）。制御部２は、ＡＶアンプ１に設定されている設定言語がヨーロッパ圏内の言語でないと判断した場合（Ｓ３４：Ｎｏ）、デジタル映像信号の入力解像度を４８０ｉ、入力垂直周波数を６０Ｈｚと予測する（Ｓ３６）。制御部２は、Ｓ３３、Ｓ３５、又は、Ｓ３６の処理の後、予測した入力解像度及び入力垂直周波数、出力解像度及び出力垂直周波数をビデオプロセッサ１３に設定する（Ｓ３７）。次に、制御部２は、出力解像度及び出力垂直周波数をデジタル信号送信部１４に設定する（Ｓ３８）。
【００４６】
制御部２は、セレクタ９によりコンポジット入力端子８を選択していないと判断した場合（Ｓ３１：Ｎｏ）、コンポーネント入力端子７に対応する設定履歴が記憶部３に記憶されているか否かを判断する（Ｓ４２）。制御部２は、コンポーネント入力端子７に対応する設定履歴が記憶部３に記憶されていると判断した場合（Ｓ４２：Ｙｅｓ）、記憶されている入力解像度及び入力垂直周波数を、デジタル映像信号の入力解像度及び入力垂直周波数として予測する（Ｓ４３）。
【００４７】
制御部２は、コンポーネント入力端子７に対応する設定履歴が記憶部３に記憶されていないと判断した場合（Ｓ４２：Ｎｏ）、ＡＶアンプ１に設定されている設定言語がヨーロッパ圏内の言語であるか否かを判断する（Ｓ４４）。制御部２は、ＡＶアンプ１に設定されている設定言語がヨーロッパ圏内の言語であると判断した場合（Ｓ４４：Ｙｅｓ）、デジタル映像信号の入力解像度を１０８０ｉ、入力垂直周波数を５０Ｈｚと予測する（Ｓ４５）。制御部２は、ＡＶアンプ１に設定されている設定言語がヨーロッパ圏内の言語でないと判断した場合（Ｓ４４：Ｎｏ）、デジタル映像信号の入力解像度を１０８０ｉ、入力垂直周波数を６０Ｈｚと予測する（Ｓ４６）。制御部２は、Ｓ４３、Ｓ４５、又は、Ｓ４６の処理の後、予測した入力解像度及び入力垂直周波数、出力解像度及び出力垂直周波数をビデオプロセッサ１３に設定する（Ｓ４７）。次に、制御部２は、出力解像度及び出力垂直周波数をデジタル信号送信部１４に設定する（Ｓ４８）。
【００４８】
従来技術と本実施形態とを比較する。
（従来技術）
Ａ．セレクタによる入力端子の選択切り替え
Ｂ．ビデオミュート処理
Ｃ．再生装置からデジタル映像信号の入力解像度及び入力垂直周波数を取得
Ｄ．取得した入力解像度及び入力垂直周波数、出力解像度及び出力垂直周波数をビデオプロセッサに設定
Ｅ．ビデオプロセッサによるデジタル映像信号のロック
Ｆ．ビデオプロセッサによるデジタル映像信号のロック後、出力解像度及び出力垂直周波数をデジタル信号送信部に設定
Ｇ．ビデオミュート処理を解除してビデオプロセッサからデジタル信号送信部にデジタル映像信号出力
（本実施形態）
１．セレクタによる入力端子の選択切り替え
２．ビデオミュート処理
３．デジタル映像信号の入力解像度及び入力垂直周波数を予測し、予測した入力解像度及び入力垂直周波数をビデオプロセッサに、出力解像度及び出力垂直周波数をビデオプロセッサ及びデジタル信号送信部に設定
４．再生装置からデジタル映像信号の入力解像度及び入力垂直周波数を取得
５．ビデオプロセッサによるデジタル映像信号のロック
６．ビデオミュート処理を解除してビデオプロセッサからデジタル信号送信部にデジタル映像信号出力
【００４９】
従来技術において、Ｄ．〜Ｆ．の処理で、約１５００〜１６００ｍｓの時間が必要である。本実施形態では、Ｄ．及びＦ．に対応する処理を２．の後で、入力解像度及び入力垂直周波数を予測して行い、並行して、入力解像度及び入力垂直周波数を取得することで、約２００ｍｓの時間を削減することが可能である。
【００５０】
以上説明したように、本実施形態では、制御部２は、セレクタ９により入力端子の選択を切り替えた場合に、選択している入力端子に基づいて、デジタル信号入力端子６から入力されたデジタル映像信号、又は、ビデオデコーダ１２が変換したデジタル映像信号の入力解像度を予測し、予測した入力解像度をビデオプロセッサ１３に設定する。例えば、制御部２は、セレクタ９によりデジタル信号入力端子６を選択している場合、デジタル映像信号の入力解像度を１０８０ｐであると予測し、ビデオプロセッサ１３に設定する。このため、ビデオプロセッサ１３は、入力された映像信号のロックを待つことなく、設定された入力解像度に従って、デジタル映像信号に映像処理を行うことができる。これにより、入力端子の選択が切り替わった場合であっても、映像信号への映像処理に必要な時間を短くすることができる。
【００５１】
また、本実施形態では、制御部２は、ＡＶアンプ１に設定されている設定言語に基づいて、デジタル信号入力端子６から入力されたデジタル映像信号、又は、ビデオデコーダ１２が変換したデジタル映像信号の伝送方式を予測する。そして、制御部２は、予測した伝送方式及びセレクタ９により選択している入力端子に基づいて、デジタル映像信号の入力解像度及び入力垂直周波数を予測し、予測した入力解像度及び入力垂直周波数をビデオプロセッサ１３に設定する。例えば、制御部２は、ＡＶアンプ１に設定されている設定言語がヨーロッパ圏内の言語である場合、デジタル映像信号の伝送方式をＰＡＬであると予測する。そして、制御部２は、セレクタ９によりデジタル信号入力端子６を選択している場合、デジタル映像信号の入力解像度を１０８０ｐであると予測し、予測した伝送方式ＰＡＬに基づいて、入力垂直周波数を５０Ｈｚであると予測し、ビデオプロセッサ１３に設定する。このため、ビデオプロセッサ１３は、入力された映像信号のロックを待つことなく、設定された入力解像度及び入力垂直周波数に従って、デジタル映像信号に映像処理を行うことができる。これにより、入力端子の選択が切り替わった場合であっても、映像信号への映像処理に必要な時間を短くすることができる。
【００５２】
また、本実施形態では、制御部２は、デジタル信号入力端子６から入力されたデジタル映像信号、又は、ビデオデコーダ１２が変換したデジタル映像信号の入力解像度及び入力垂直周波数を取得する。そして、制御部２は、取得した入力解像度及び入力垂直周波数が予測した入力解像度及び入力垂直周波数と一致していない場合に、取得した入力解像度及び入力垂直周波数をビデオプロセッサ１３に設定しなおす。これにより、入力解像度及び入力垂直周波数の予測が誤っていた場合でも、正しく映像処理を行うことができる。
【００５３】
また、本実施形態では、制御部２は、セレクタ９により入力端子の選択を切り替えた場合に、ビデオプロセッサ１３から、デジタル信号送信部１４へミュート映像信号を出力させる。これにより、ディスプレイにミュート映像（黒画面）が表示されるため、映像処理中に、不正な映像がディスプレイ２００に表示されることが防止される。
【００５４】
また、本実施形態では、制御部２は、記憶部３に、セレクタ９により選択している入力端子に対応付けて入力解像度及び入力垂直周波数が記憶されている場合、記憶部３に記憶されている入力解像度及び入力垂直周波数を、デジタル映像信号の入力解像度及び入力垂直周波数として予測する。記憶部３には、ビデオプロセッサ１３に入力解像度及び入力垂直周波数が設定されるごとに、ビデオプロセッサ１３に設定された入力解像度及び入力垂直周波数が記憶されるため、前回、ビデオプロセッサ１３に設定された入力解像度及び入力垂直周波数が、デジタル映像信号の入力解像度及び入力垂直周波数として予測される。同じ入力端子からは同じ入力解像度及び入力垂直周波数の映像信号が入力される可能性が高いため、予測が的中する可能性が高くなる。
【００５５】
また、本実施形態では、制御部２は、セレクタ９によりコンポーネント入力端子７を選択している場合、コンポーネント入力端子７から入力され、ビデオデコーダ１２が変換したデジタル映像信号の入力解像度を、コンポジット入力端子８から入力され、ビデオデコーダ１２が変換したデジタル映像信号の入力解像度よりも高く予測する。ここで、コンポーネント入力端子７から入力され、ビデオデコーダ１２が変換したデジタル映像信号の入力解像度は、コンポジット入力端子８から入力され、ビデオデコーダ１２が変換したデジタル映像信号の入力解像度よりも高い可能性が高い。これにより、予測が的中する可能性が高くなる。
【００５６】
また、本実施形態では、制御部２は、ディスプレイ２００に出力する出力解像度及び出力垂直周波数の設定を受け付け、受け付けた出力解像度及び出力垂直周波数、又は、ディスプレイ２００から出力解像度及び出力垂直周波数を取得し、取得した出力解像度及び出力垂直周波数をビデオプロセッサ１３、及び、デジタル信号送信部１４に設定する。これにより、ビデオプロセッサ１３は、設定された出力解像度及び出力垂直周波数に従って、デジタル映像信号に映像処理を行うことができる。また、デジタル信号送信部１４は、設定された出力解像度及び出力垂直周波数に従って、デジタル映像信号を外部のディスプレイ２００に送信することができる。
【００５７】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５８】
上述の実施形態において制御部２が予測している入力解像度及び入力垂直周波数の数値は一例であり、制御部２は、他の数値を予測するようになっていてもよい。
【００５９】
上述の実施形態においては、制御部２は、予測処理を実行する際に、ビデオプロセッサ１３に、ミュート映像信号をデジタル信号送信部１４へ出力させるようになっている。これに限らず、不正な映像がディスプレイ２００に表示されないようにするための擬似映像信号であれば、「処理中」等の文字が表示される映像信号等であってもよい。
【００６０】
上述の実施形態においては、ＡＶアンプ１がコンポジット入力端子８を備えている場合について説明した。コンポジット入力端子８に替えて、ＡＶアンプ１は、Ｓ−Ｖｉｄｅｏ端子を備えていてもよい。また、デジタル信号入力端子６、コンポーネント入力端子７、コンポジット入力端子８に加えて、ＡＶアンプ１は、Ｓ−Ｖｉｄｅｏ端子を備えていてもよい。
【産業上の利用可能性】
【００６１】
本発明は、再生装置が出力する映像信号にスケーラ変換等の映像処理を行って表示装置に出力する映像処理装置に好適に採用され得る。
【符号の説明】
【００６２】
１  ＡＶアンプ（映像処理装置）
２  制御部
３  記憶部
６  デジタル信号入力端子（デジタル入力端子）
７  コンポーネント入力端子（第１アナログ入力端子）
８  コンポジット入力端子（第２アナログ入力端子）
９  セレクタ（選択部）
１０  デジタル信号受信部
１１  アナログ信号受信部
１２  ビデオデコーダ
１３  ビデオプロセッサ（映像信号処理部）
１４  デジタル信号送信部（映像信号送信部）
１５  デジタル信号出力端子
１００ａ  ＢＤプレーヤー（再生装置）
１００ｂ  ＤＶＤプレーヤー（再生装置）
１００ｃ  ゲーム機（再生装置）
２００  ディスプレイ（表示装置）
【図１】
2015139116.tif 000003
【図２】
2015139116.tif 000004
【図３】
2015139116.tif 000005
【図４】
2015139116.tif 000006
【図５】
2015139116.tif 000007
【図６】
2015139116.tif 000008